(57)【特許請求の範囲】
【請求項１】
ベッド本体と、
このベッド本体に設けられた、ローラを回転フリー状態で複数連結した、寝ている者の下を該寝ている者を動かすことなく走行可能とされた連結ローラ群と、
この連結ローラ群の適当な箇所のローラ間に設けられた、前記連結ローラ群の上に既に敷かれている使用済み敷物を通すための使用済敷物通し部と、
前記連結ローラ群の適当な箇所のローラ間に設けられた、前記連結ローラ群の上に新たに敷く新しい敷物を通すための、前記使用済み敷物と同じ箇所からなるあるいは該使用済敷物通し部とは別箇所に設けられた新しい敷物通し部と、
前記使用済敷物通し部の下方に設けられた、前記使用済み敷物を直接的にあるいは他の部材を介して間接的に非巻取形態で受けながら、前記使用済敷物通し部の移動に追随して移動する敷物受け部とを備えるとともに、
前記連結ローラ群上に敷かれている前記使用済み敷物の一方側あるいは他方の側を、前記使用済敷物通し部に入れた、前記連結ローラ群の走行に伴って該連結ローラ群の下方に降り下がるようにした使用済み敷物撤収状態、前記新しい敷物が前記新しい敷物通し部に通された新しい敷物通され状態、前記連結ローラ群の上に位置する前記新しい敷物の他方側あるいは一方側を前記連結ローラ群以外の適宜な箇所に固定する新しい敷物上側固定状態、前記新しい敷物の一方側あるいは他方側を前記連結ローラ群の下方に位置させた新しい敷物下側位置状態、前記使用済み敷物撤収状態、前記新しい敷物上側固定状態および前記新しい敷物下側位置状態とした敷物交換セット状態にし、
この敷物交換セット状態で前記連結ローラ群を前記使用済み敷物側に走行動作させることによって、寝ている者を動かすことなく、前記使用済み敷物は前記敷物受け部で前記非巻取形態で受け、前記新しい敷物は前記連結ローラ群上で寝ている者の下に新たに敷かれた状態になることを特徴とするベッド装置。
【請求項２】
前記ローラがクッション性を有するクッションローラであり、前記連結ローラ群の走行動作を駆動する駆動手段が設けられ、この駆動手段を制御する制御部が設けられ、前記制御部の指示に基づいて前記駆動手段が、主に褥瘡を予防するための所定の制御された、回転非駆動である前記クッションローラの前記回転フリー状態で、前記連結ローラ群の前記走行動作を自動的に行うようにしたことを特徴とする請求項１記載のベッド装置。
【請求項３】
前記連結ローラ群上に敷かれた前記敷物を緊張状態にして、寝ている者の体重の前記ローラへの掛を軽減することを可能とする敷物緊張手段を備え、
前記敷物緊張手段によって前記敷物の頭部側および足側あるいはいずれか一方の側が前記ローラよりも高い位置とされ、あるいは前記ローラよりも高い位置とでき、この高い位置で前記敷物緊張状態とすることによって、前記敷物の頭部側および足側あるいはいずれか一方の側を前記ローラよりも高い位置に上げられ、よって寝ている者の頭部側および足側あるいはいずれか一方の側を、前記ローラに単に寝ている状態よりも上げた姿勢に変えることを可能としたことを特徴とする請求項１、２いずれか１項に記載のベッド装置。
【請求項４】
前記ベッド本体に寝ている者の頭側と足側に位置する前記ローラよりも高い位置である箇所に、敷物の両端側に取り付けられた棒部材を掛けるための頭側棒掛け部と足側棒掛け部を設けてなり、前記頭側棒掛け部、前記足側棒掛け部、前記棒部材で前記敷物緊張手段を構成し、前記頭側棒掛け部と前記足側棒掛け部に前記棒部材を掛けることで、前記敷物に寝ている者の姿勢を変える前記敷物緊張状態を形成可能としたことを特徴とする請求項３記載のベッド装置。
【請求項５】
前記ローラを摩擦が少なく滑性のよいクッション性部材からなる非回転滑りクッションとし、前記連結ローラ群を前記非回転滑りクッションが多数連結されてなる連結滑りクッション群としてなることを特徴とする請求項２〜４のいずれか１項に記載のベッド装置。
【請求項６】
請求項４のベッド装置に使用する敷物であって、敷物本体と、この敷物本体の一方の端側に棒部材を通すための第１の棒通し部が設けられ、他方の端側に前記棒部材を通すための第２の棒通し部が設けられ、前記第１の棒通し部と前記第２の棒通し部の間に前記棒部材を通すための第３の棒通し部が設けられてなることを特徴とする敷物。
【発明の詳細な説明】
【技術分野】
【０００１】
本発明は、ベッド上に寝ている者を動かすことなくシーツ、薄いマットなどの敷物を交換可能としたベッド装置に関する。
【背景技術】
【０００２】
従来、例えば特許文献１の図５に、ベッド用フレーム２の上面に前後方向に移動できるように取付けられた前後部のいずれかにシーツの透過孔３を有する移動パット４と、この移動パット４上に敷設される、前記ベッド用フレーム２の先端部に一端部が着脱可能に取付けられ、他端部が前記移動パット４のシーツ透過孔３より下方へ位置される第１のシーツ５と、この第１のシーツ５の他端部を、該第１のシーツ５にたるみが生じないように支持するアイボルト状の支持具６と、前記移動パット４上に敷設することができる前記ベッド用フレーム２の後端部に一端部が着脱可能に取付けられ、他端部が前記移動パット４のシーツの透過孔３より下方へ位置される第２のシーツ７と、前記移動パット４のシーツ透過孔３が前記ベッド用フレーム２の後端部より前方へ移動しながら前記第１のシーツ５である使用しているシーツを、該移動パット４の下部へ収納するとともに、前記第２のシーツ７である新しいシーツを、該移動パット４の下部から上方へ出すことができる移動パット移動装置８とで構成されている技術が開示されている。（符号は特許文献１の符号）
また、特許文献１の図１４、図１５に、移動パット本体４ａと接触して回転する接触ローラ３１が設けられ、移動パット本体４ａと接触ローラ３１で第１のシーツ５を挟持した状態で、接触ローラ３１のハンドル３２、３２を人が回して、移動パット本体４ａと接触ローラ３１の回転によって挟持した第１のシーツ５を引っ張ることによって移動パット４群を移動させる技術が開示されている。（符号は特許文献１の符号）
【先行技術文献】
【特許文献】
【０００３】
【特許文献１】特開2013-22408号公報（図５、図１４、図１５）
【非特許文献】
【０００４】
【非特許文献１】特になし
【発明の概要】
【発明が解決しようとする課題】
【０００５】
上述した従来技術は、第１のシーツ５（敷物）と第２のシーツ７（敷物）がシーツ交換の際に接触する危険が大きく、交換動作最後の方では完全に重なるので、使用済みシーツである第１のシーツ５の汚れが新しいシーツである第２のシーツ７に着くという危険があるものであった。
【０００６】
また、使用済みシーツである第１のシーツ５を取り外すときには、アイボルト状の支持装置６に縛り取り付けられている第１のシーツ５を外さなくてはならず、シーツ取り外し操作が煩雑な上に、ベッド装置にシーツが接触して汚れを付着させる危険があるという問題があった。
【０００７】
また、移動パット本体４ａと接触ローラ３１の回転によって挟持した第１のシーツ５を引っ張ることによって移動パット４群を移動させる技術は、使用済みシーツである第１のシーツ５の汚れが移動パット本体４ａと接触ローラ３１に着いてしまうという問題、接触ローラ３１に新しいシーツである第２のシーツ７が接触するので、接触ローラ３１に汚れが着いている場合には第２のシーツ７に汚れが着く危険があるという問題、第１のシーツ５はベッド本体の底板に載せられて行くので底板に汚れが着く危険があるという問題を有するものであった。
【０００８】
本発明は以上述べた従来技術の欠点に感が見てなされたものであって、その目的は使用済み敷物と新しい敷物の交換を使用済み敷物と新しい敷物とを接触させることなく交換可能とするベッド装着を提供することを目的としている。
【課題を解決するための手段】
【０００９】
上記目的を達成するために、本発明は以下に述べるような構成としている。
＜請求項１記載の発明＞
ベッド本体と、
このベッド本体に設けられた、ローラを回転フリー状態で複数連結した、寝ている者の下を該寝ている者を動かすことなく走行可能とされた連結ローラ群と、
この連結ローラ群の適当な箇所のローラ間に設けられた、前記連結ローラ群の上に既に敷かれている使用済み敷物を通すための使用済敷物通し部と、
前記連結ローラ群の適当な箇所のローラ間に設けられた、前記連結ローラ群の上に新たに敷く新しい敷物を通すための、前記使用済み敷物と同じ箇所からなるあるいは該使用済敷物通し部とは別箇所に設けられた新しい敷物通し部と、
前記使用済敷物通し部の下方に設けられた、前記使用済み敷物を直接的にあるいは他の部材を介して間接的に非巻取形態で受けながら、前記使用済敷物通し部の移動に追随して移動する敷物受け部とを備えるとともに、
前記連結ローラ群上に敷かれている前記使用済み敷物の一方側あるいは他方の側を、前記使用済敷物通し部に入れた、前記連結ローラ群の走行に伴って該連結ローラ群の下方に降り下がるようにした使用済み敷物撤収状態、前記新しい敷物が前記新しい敷物通し部に通された新しい敷物通され状態、前記連結ローラ群の上に位置する前記新しい敷物の他方側あるいは一方側を前記連結ローラ群以外の適宜な箇所に固定する新しい敷物上側固定状態、前記新しい敷物の一方側あるいは他方側を前記連結ローラ群の下方に位置させた新しい敷物下側位置状態、前記使用済み敷物撤収状態、前記新しい敷物上側固定状態および前記新しい敷物下側位置状態とした敷物交換セット状態にし、
この敷物交換セット状態で前記連結ローラ群を前記使用済み敷物側に走行動作させることによって、寝ている者を動かすことなく、前記使用済み敷物は前記敷物受け部で前記非巻取形態で受け、前記新しい敷物は前記連結ローラ群上で寝ている者の下に新たに敷かれた状態になることを特徴とするベッド装置である。
【００１０】
「敷物」とは、シーツ、敷布、布帛、毛布上の敷物、薄いマットレスなどである。
「使用済敷物通し部」、「新しい敷物通し部」は、一つの通し部を共有する形態、仕切りなどで仕切られて形成された形態、ローラ間の異なる隙間からなる通し部などを技術的範疇に含むものである。
また、防水シートの設置交換も上記敷物交換操作・動作と同様に行うことができるので、例えば、折り畳んだ状態で防水シートを連結ローラ群上寝ている者の下に敷き状態にし、縁を広げ立ち上げ状態にして浴槽を形成して沐浴等を行うことも可能とするものである。縁が空気で膨らみ立ち上がり浴槽を形成するものでもよいことは言うまでもない。
【００１１】
＜請求項２記載の発明＞
前記ローラがクッション性を有するクッションローラであり、前記連結ローラ群の走行動作を駆動する駆動手段が設けられ、この駆動手段を制御する制御部が設けられ、前記制御部の指示に基づいて前記駆動手段が、主に褥瘡を予防するための所定の制御された、回転非駆動である前記クッションローラの前記回転フリー状態で、前記連結ローラ群の前記走行動作を自動的に行うようにしたことを特徴とする請求項１記載のベッド装置である。
【００１２】
クッションローラの回転形態は、クッション層側と軸受に回転自在に支持された軸シャフトが一体となって回転する回転形態、固定された非回転の軸シャフトにクッション層側が回転自在に支持されてクッション層側が回転する回転形態が技術的範囲に含まれる。
【００１３】
＜請求項３記載の発明＞
前記連結ローラ群上に敷かれた前記敷物を緊張状態にして、寝ている者の体重の前記ローラへの掛を軽減することを可能とする敷物緊張手段を備え、
前記敷物緊張手段によって前記敷物の頭部側および足側あるいはいずれか一方の側が前記ローラよりも高い位置とされ、あるいは前記ローラよりも高い位置とでき、この高い位置で前記敷物緊張状態とすることによって、前記敷物の頭部側および足側あるいはいずれか一方の側を前記ローラよりも高い位置に上げられ、よって寝ている者の頭部側および足側あるいはいずれか一方の側を、前記ローラに単に寝ている状態よりも上げた姿勢に変えることを可能としたことを特徴とする請求項１、２いずれか１項に記載のベッド装置である。
【００１４】
＜請求項４記載の発明＞
前記ベッド本体に寝ている者の頭側と足側に位置する前記ローラよりも高い位置である箇所に、敷物の両端側に取り付けられた棒部材を掛けるための頭側棒掛け部と足側棒掛け部を設けてなり、前記頭側棒掛け部、前記足側棒掛け部、前記棒部材で前記敷物緊張手段を構成し、前記頭側棒掛け部と前記足側棒掛け部に前記棒部材を掛けることで、前記敷物に寝ている者の姿勢を変える前記敷物緊張状態を形成可能としたことを特徴とする請求項３記載のベッド装置である。
【００１５】
＜請求項５記載の発明＞
前記ローラを摩擦が少なく滑性のよいクッション性部材からなる非回転滑りクッションとし、前記連結ローラ群を前記非回転滑りクッションが多数連結されてなる連結滑りクッション群としてなることを特徴とする請求項２〜４のいずれか１項に記載のベッド装置である。
【００１６】
＜請求項６記載の発明＞
請求項４のベッド装置に使用する敷物であって、敷物本体と、この敷物本体の一方の端側に棒部材を通すための第１の棒通し部が設けられ、他方の端側に前記棒部材を通すための第２の棒通し部が設けられ、前記第１の棒通し部と前記第２の棒通し部の間に前記棒部材を通すための第３の棒通し部が設けられてなることを特徴とする敷物である。
【発明の効果】
【００１７】
以上の説明から明らかなように、本発明にあっては次に列挙する効果が得られる。
＜請求項１記載の発明の効果＞
使用済敷物通し部の下方に設けられた、使用済み敷物を直接的にあるいは他の部材を介して間接的に受けながら使用済敷物通し部の移動に追随して移動する敷物受け部を設けたので、敷物交換動作にあっては使用済み敷物が敷物受部に収納されて行くので、同時に敷かれて行く新しい敷物に使用済み敷物が接触しないとう効果を奏する。
【００１８】
また、使用済み敷物は敷物受部に重なり状態で全部収納状態とされるので、そのまま取り出して処理することができるので、操作が素早く行え、かつ、その汚れをベッドのどこかに付着させる危険がないという効果を奏する。
【００１９】
また、敷物受け部に使用済み敷物を受ける籠等をセットすることにより、使用済みシーツを籠等に入れたまま出して運び処理することができるという効果を奏する。
【００２０】
＜請求項２記載の発明の効果＞
請求項１記載の発明と同様な効果を奏するとともに、連結ローラ群が停止中でも、走行動作中でも寝ている者に苦痛を与えることがなく、主に褥瘡を予防するための所定の制御された走行動作を自動的に行うようことによって、寝ている者が褥瘡等にならないように予防することを自動的に行うという効果を奏する。
「主に褥瘡を予防するための」とは、褥瘡防止の動作以外の動作、例えばコリなどをほぐすマッサージ動作、マッサージと褥瘡防止動作の組み合わせ動作など、褥瘡防止以外のための動作も技術的範疇に含む意味である。
【００２１】
＜請求項３記載の発明の効果＞
請求項１、２いずれか１項に記載の発明度同様な効果を奏するとともに、敷物を緊張状態にすることで、クッションローラへ寝ている者の体重の掛を軽減するという効果を奏する。
【００２２】
＜請求項４記載の発明の効果＞
請求項３記載の発明と同様な効果を奏するとともに、敷物の緊張状態を頭側棒掛け部と足側棒掛け部に、敷物の両端側に取り付けられた棒部材を掛けることで、簡単素早く敷物の緊張状態を形成することができるという効果を奏する。
【００２３】
＜請求項５記載の発明＞
非回転滑りクッション７４は構造が簡単で軸受を必要としないので、軽量化と低コスト化を実現する。
また、クッション層を取り付け寝ている者の荷重を受ける部位で梁部位は、Ｃ形鋼などの軽量で安価な部材にできるので、この点でも軽量化と低コスト化を実現する。
【００２４】
＜請求項６記載の発明の効果＞
請求項４のベッド装置に使用する敷物であって、敷物本体と、この敷物本体の両端側に棒部材を通すための棒通し部とを備えたことを特徴とする敷物であるので、請求項４に記載のベッド装置における、使用済み敷物の緊張状態を容易に素早く形成するという効果を奏する。
【図面の簡単な説明】
【００２５】
【図１】本発明の実施例１の動作概念図。
【図２】図１の続き。
【図３】本発明の実施例１の側面図。
【図４】本発明の実施例１の平面図。
【図５】本発明の実施例１の駆動部分の底面図。
【図６】本発明の実施例１のローラの部分断面図。
【図７】本発明の実施例１に使用している敷物の部分平面図および部分側面図。
【図８】本発明の実施例１の制御パネルの配置図。
【図９】本発明の実施例２の敷物受部を連結した状態の側面図。
【図１０】本発明の実施例２の敷物受部を解放しローラ連結群を走行させた状態の側面図。
【図１１】本発明の実施例３の側面図。
【図１２】本発明の実施例３に使用している敷物の部分平面図および部分側面図。
【図１３】本発明の実施例４の構成図。
【発明を実施するための形態】
【００２６】
以下、本発明を実施するための最良の形態である実施例について説明する。但し、本発明をこれら実施例のみに限定する趣旨のものではない。また、後述する実施例の説明に当って、前述した実施例の同一構成部分には同一符号を付して重複する説明を省略する。
【実施例１】
【００２７】
図１〜図８に示す本発明の実施例において、１はベッド装置であってこのベッド装置１は次に述べるような構成となっている。
ベッド本体２と、
このベッド本体２に設けられた、上に直接にシーツからなる敷物を敷き該敷物上に寝ている者に苦痛を与えない柔らかさとクッション性を有するクッションローラからなるローラ３を回転フリー状態でチェーン４１、４１によって複数連結した、寝ている者の下を該寝ている者を動かすことなく走行可能とされた連結ローラ群４と、
この連結ローラ群４の適当な箇所のローラ３とローラ３間に設けられた、連結ローラ群４の上に既に敷かれている使用済み敷物５（便宜上「使用中敷物」も使用済み敷物とする。）を通し下すことを可能とした使用済敷物通し部６と、
連結ローラ群４の適当な箇所のローラ３、３間に設けられた、連結ローラ群４の上に新たに敷く新しい敷物７を通し下すことを可能とした、使用済み敷物５と仕切り１１によって仕切られた新しい敷物通し部８と（使用済敷物通し部７と新しい敷物通し部８は別箇所に設ける形態でもよいし、同箇所で敷物同士が接触しない距離をあけた仕切り無の形態でもよい。）、
使用済敷物通し部６の下方に設けられた、使用済み敷物５を直接的にあるいは他の部材（ここでは、容易に湾曲して籠形態とできる指を入れる取手（図示せず省略）を備えた受けプレート９で受けている。）を介して間接的に受けながら使用済敷物通し部６の移動に追随して移動する、連結ローラ群４に吊り形態で設けられた受け部位１０ａ、１０ｂを有する敷物受け部１０と、
連結ローラ群４の走行を支持案内する無限軌条形態の案内軌条２０ａ、２０ｂと、
連結ローラ群４を駆動する電動モータからなる駆動手段２１と、
この駆動手段２１の駆動を制御する制御パネル２２を有する制御部２３と、
ベッド本体２の一方側に立ち上げられた立ち上がり部位２４ａと、
ベッド本体２の他方側に立ち上げられた立ち上がり部位２４ｂと、
立ち上がり部２４ａ、２４ｂに設けられた、敷物に取り付けた棒部材２６ａ、２６ｂ（両方合わせて「棒部材２６」という場合もある。）を掛け状態で固定するための頭側棒掛け部２７ａ、足側棒掛け部２７ｂ（両方合わせて「棒掛け部２７」という場合もある。）とからなっている。
敷物（使用済み敷物５、新しい敷物７）には棒部材２６を挿入する棒部材取付け部２８ａ、２８ｂ（「棒部材挿入部２８」という場合もある。）が設けられている。
棒部材２６と棒部材掛け部２７とで敷物緊張手段２９を形成している。
立ち上がり部位２４ａ、立ち上がり部位２４ｂと連結ローラ群４との間には、プレート３０ａ、３０ｂが設けられている。
【００２８】
使用済み敷物５の棒部材２６ｂを外し、一方側（使用済敷物通し部６が頭側に在る場合は他方側）を使用済敷物通し部６から落として受け部位１０ａに入れた使用済み敷物撤収状態（図１の（ｂ）図）、新しい敷物７を連結ローラ群４の上ないしプレート３０ｂに載せ位置させて（連結ローラ群４の下方に位置させてもよい）、その他方側（新しい敷物通し部８が頭側に在る場合は一方側）に棒部材２６ｂを取付けて立ち上がり部２５の足側棒掛け部２７ｂに掛け固定した新しい敷物上側固定状態、新しい敷物７の一方側を新しい敷物通し部８から落として（連結ローラ群４の下方に位置させ場合は他方側を下から通し新しい敷物上側固定状態にする）連結ローラ群４の下方に位置させ受け部位１０ｂに入れた新しい敷物下側位置状態、前記使用済み敷物撤収状態、前記新しい敷物上側固定状態および前記新しい敷物下側位置状態とした敷物交換セット状態にし（図１の（ｃ）図）、
この敷物交換セット状態で、敷物交換ボタン４７を指で押したままの状態（以下「押し維持状態」という。）で連結ローラ群４を使用済み敷物５側（寝ているものの頭側）に走行動作させることによって、寝ている者を動かすことなく、使用済み敷物５は受け部位１０ａに収納されて行き、新しい敷物７は連結ローラ群４上で寝ている者の下に新たに敷かれた状態になって行く（図２の（ｄ）図）。
新しい敷物７の敷き操作と使用済み敷物５の回収操作が完了したら、使用済み敷物５の棒部材２６ｂを外して使用済み敷物５の全部を受け部位１０ａに落とし収納し（図２の（ｅ）図）、新しい敷物７の棒部材取付け部２８ａに棒部材２６ａを挿入し、該棒部材２６ａを頭側棒掛け部２７ａに掛け固定し、使用済み敷物５を収納している受けプレート９を取り出す（図２の（ｆ）図）。
【００２９】
図５、図６に示すようにローラ３は、軸シャフト３２の少なくとも左右にベアリング３３、３３が固定され、このベアリング３３、３３に外側シャフト３４が軸シャフト３２との間に隙間３５を形成して取り付けられ、外側シャフト３４の外側に硬めのクッション材３６が設けられ、クッション材３６の外側に上に直接にシーツからなる敷物を敷き該敷物上に寝ている者に苦痛を与えない柔らかさとクッション性を有するクッション層３７が設けられている。
外側シャフト３４、クッション材３６、クッション層３７とでローラ本体３８を形成している。
軸シャフト３２のローラ本体３８の外側に出ている軸シャフト外側部位３９、３９には、ローラ本体３８が軸上を動かないように固定する固定体４０が設けられ、軸シャフト外側部位３９、３９にはチェーン４１、４１が固定され、軸シャフト外側部位３９の両端には案内軌条２０ａ、２０ｂに案内されて転動する走行ベアリング４２、４２が設けられている。
駆動手段２１には駆動シャフト４３、４３が設けられ、駆動シャフト４３、４３にはチェーン４１、４１に駆動シャフト４３、４３の回転を伝えるスプロケット４４、４４が設けられ、駆動シャフト４３、４３の両端にはベッド本体２（図示せず省略）側に固定されているベアリング４５、４５が設けられている。
クッション層３７はスポンジ状部材、柔らかいゴム製部材、エアークッション、液体クッション、ジェルクッション、合成樹脂粒などの粒状部材を詰めたものなど多様なものが考えられる。
【００３０】
ローラ３の回転形態として、固定された非回転の軸シャフト３２にクッション層側が回転自在に支持されてクッション層側が回転する回転形態とするのも技術的範囲に含まれる。
【００３１】
連結ローラ群の構成には、チェーンの駒を山形状駒にして、この山形部分に軸シャフト３２を回転自在に軸支する構成のもの、全てをチェーンにせず一部をワイヤなどにする構成、チェーンに変えて歯付無端ベルトを使用するなど多様なものがある。
【００３２】
図８によって、制御部２３の制御パネル２２による制御について説明する。
電源ボタン４６を押して電源を入れる（点灯するか色が変わる）。
敷物の交換は、敷物交換セット状態にし（図１の（ｃ）図）、敷物交換ボタン４７あるいは敷物交換ボタン４８を指で押し押し維持状態で、駆動手段２１が駆動して連結ローラ群４が走行する。ボタンを押している指を離すと駆動手段２１は停止する。
ベッド本体２の頭側と足側にはそれぞれ頭側リミッタースイッチ（図示せず省略）と足側リミッタースイッチ（図示せず省略）が設けられ、使用済敷物通し部６および新しい敷物通し部８の箇所（以下「敷物通し部位置」という。）が、所定の箇所まで到達したら前記リミッタースイッチによってそれを検出し駆動手段２１が自動的に停止するようになっている。よって、敷物通し部位置が頭側にあるときは敷物交換ボタン４８（頭←足）を押しても駆動手段２１は動作せず、敷物通し部位置が足側にあるときは敷物交換ボタン４７（頭→足）を押しても駆動手段２１は動作しないようになっている。
【００３３】
マッサージボタン４９を押すと該マッサージボタン４９は点灯ないし色が変わりマッサージ動作ＯＮ状態となり、マッサージ種類ボタン５０ａ〜５０ｅから好みのマッサージ動作の番号ボタンを押すと、駆動手段２１は所定のマッサージ動作を行う。
ＯＮ状態にあるマッサージボタン４９を押してＯＦＦ状態にしないと、敷物交換ボタン４７、敷物交換ボタン４８を押してもマッサージ動作は解除されず、敷物交換動作とはならない。また、ＯＮ状態にあるマッサージボタン４９を押してＯＦＦ状態にすると、連結ローラ群４はマッサージ動作を止め、マッサージ動作前に位置していた頭側リミッタースイッチ（図示せず省略）あるいは足側リミッタースイッチ（図示せず省略）が検知する所定位置に走行し停止する。
仕切り１１には、敷物を検知する敷物検知センサ（図示せず省略）が設けられ、使用済敷物通し部６、新しい敷物通し部８に敷物を検知しているときは、マッサージボタン４９をおしても該マッサージボタン４９は点灯ないし色が変わらず、マッサージ動作が行えないようになっている。使用済敷物通し部６、新しい敷物通し部８に敷物を検知している状態でマッサージボタン４９を押すと、ディスプレイ５１に「敷物を除いてください」等のエラーメッセージが表示されるようになっている。
【００３４】
緊急停止ボタン５３を押すと駆動手段２１への電源は遮断され停止する。緊急停止ボタン５３を押した後、電源ボタン４６を押すと連結ローラ群４は動作前に位置していた頭側リミッタースイッチ（図示せず省略）あるいは足側リミッタースイッチ（図示せず省略）が検知する所定位置に走行し停止する。
【００３５】
設定ボタン５２を押すとディスプレイ５１に、マッサージの設定画面（図示せず省略）が表示され、好みのマッサージ動作を設定することができるようになっている。設定したマッサージ動作はマッサージ種類ボタン５０ｄ、５０ｅのいずれかのボタンにセットして使用するようになっている。
マッサージ動作の設定は、連結ローラ群４のスピード（速度が変わる変則スピードもＯＫ）、移動距離、間欠走行など多様な動作の組み合わせを可能としている。
【００３６】
使用済敷物通し部６、新しい敷物通し部８となる敷物１３は、敷物本体１４と、この敷物本体１４の両側に設けられた棒部材２６を通し形態で取り付ける棒部材取付け部１５、１５が設けられている。
棒部材２６の両端には棒掛け部２７にかかり抜けないようにするためのフランジ２５、２５が設けられている。
【００３７】
「敷物緊張手段」は敷物緊張手段２９以外に、例えば、敷物を巻き取り緊張状態とするラチェット機構を有する巻き取りドラム形態のもの、立ち上がり部に固定形態あるいは回り自在形態の胴縁を設け、この胴縁に敷物を掛け下げて、下がった部位に重りを取り付けて緊張状態とする形態のものなど多様な形態がある。
【００３８】
敷物交換ボタン４７、４８に変えて、敷物交換位置ボタン（図示せず省略）と敷物交換開始ボタン（図示せず省略）を設け、敷物交換ボタンを押すと使用済敷物通し部６および新しい敷物通し部８は設定された所定の敷物交換初期位置に自動的に位置され、使用済敷物５および新しい敷物７をセットしたら、敷物交換開始ボタンを押すと敷物の交換が開始され、敷物交換完了位置に到達したら自動的に停止するようにするのもよい。
【実施例２】
【００３９】
図９、図１０に示す本発明の実施例２において、前記実施例１と主に異なる点は、頭側棒掛け部２７ａ、足側棒掛け部２７ｂの上部に、さらに頭側棒掛け部２７ａ−２、足側棒掛け部２７ｂ−２を設け、ベッド本体２の両側の下部フレームに軌条５５を設け、この軌条５５に走行輪５６で走行する敷物受部５７を設けなるベッド装置５８を形成した点にある。
使用済敷物通し部６と新しい敷物通し部８の間には下部が嵌め込み開口部ないし嵌め込み孔からなる嵌め込み凹み部（図示せず省略）を有した仕切り５９が設けられ、敷物受部５７にはレバー６０の操作によって上昇した上昇位置で固定される前記嵌め込み凹み部に嵌る嵌め込み凸部６１が設けられている。
嵌め込み凹み部および嵌る嵌め込み凸部６１を有さない、仕切り５９と敷物受部５７は一体化形態とするのがよい。
【００４０】
敷物受部５７に使用済敷物通し部６と新しい敷物通し部８の箇所を検出するセンサを設け、このセンサの検出情報に基づいて、使用済敷物通し部６と新しい敷物通し部８の移動に敷物受部５７が自動的に追随して走行するようにするのもよい。
【実施例３】
【００４１】
図１１、図１２に示す本発明の実施例３において、前記実施例２と主に異なる点は、頭側棒掛け部２７ａ−２の上部にさらに頭側棒掛け部２７ａ−３と頭側棒掛け部２７ａ−４を設けてなるベッド装置６３を形成し、ベッド装置６３に使用する敷物６４の敷物１３と異なる点は、敷物本体１４の他方の側に棒部材取付け部１５を３か所設けた点にある。
棒部材２６の頭側棒掛け部２７ａ〜頭側棒掛け部２７ａ−４の掛ける箇所によって、寝ている者の姿勢を変えることができ、ローラ３の寝ている者に当たる部位を変え、ローラ３の寝ている者への押し圧を軽減することができる。
ローラ３が回転自在であるので、敷物６４を動かすことになっても、寝ている者と敷物６４とを簡単に動かすことができる。
頭側棒掛け部２７ａ−４以上を設けるのもよい。
足側棒掛け部２７ｂの上部にさらに足側棒掛け部２７ｂ−３・・・２７ｂ−ｎを設けるのもよい。
【実施例４】
【００４２】
図１３に示す本発明の実施例４において、前記実施例２と主に異なる点は、立ち上がり部位２４ａに変えて上部に頭側棒掛け部２７ａを有する油圧で昇降動作する可動式の立ち上がり部位６７を設け、ベッド下方にフレーム６８を設け、このフレーム６８に設けられた無端チェーン、無端ベルトなどからなるモータ（図示せず省略）で駆動制御される無端駆動部材（図示せず省略）が設けられ、この無端駆動部材によって走行を自動制御される敷物受部６９が設けられ、ローラ３を摩擦が少なく滑性のよいクッション性部材からなる非回転滑りクッション７４とし、この非回転滑りクッション７４が多数連結されてなる連結滑りクッション群７５を形成してなるベッド装置７０を形成した点にある。
【００４３】
立ち上がり部位６７は、段階選択ボタン部７２の０〜３の段階選択ボタンのうちの、指定する段階選択ボタンを押すことにより、所定の段階高さに頭側棒掛け部２７ａが自動的に位置するようになっている。
可動式の立ち上がり部位は、油圧機構に限定されず、エアーによるもの、リンク機構によるもの、ねじ棒部材ないしナット部材の回転によるものなど多様な形態がある。
また、頭側棒掛け部２７ａを有する部位を上部から、昇降可能に吊った形態とするのもよい。
【００４４】
敷物受部６９には、使用済敷物通し部６と新しい敷物通し部８の箇所を検出するセンサ７１が設けられ、このセンサ７１の検出情報に基づいて、使用済敷物通し部６と新しい敷物通し部８の移動に敷物受部６９が自動的に追随して走行するようになっている。
敷物交換時は、敷物交換位置ボタン（図示せず省略）を押すと、使用済敷物通し部６と新しい敷物通し部８および敷物受部６９は所定交換開始の位置（ここでは、足元側）に自動的に位置するようになっている。
【００４５】
非回転滑りクッション７４は構造が簡単で軸受を必要としないので、軽量化と低コスト化を実現する。
また、クッション層を取り付け寝ている者の荷重を受ける部位で梁部位は、Ｃ形鋼などの軽量で安価な部材にできるので、この点でも軽量化と低コスト化を実現する。
【００４６】
非回転滑りクッション７４は敷物と接触する最表面の部材を、摩擦が少ない滑性のよい（以下「低摩擦性部材」という。）ものとし、その内側はスポンジ部材などのクッション性部材とするのがよい。
低摩擦性部材には、テフロン、ナフロン、フロログラス、MCナイロンシート、ニトリル・シリコンゴム、フッ素樹脂、超鋼分子量ポリエチレンなど多種多様なものがある。
【００４７】
非回転滑りクッション７４のクッション層は円筒形態ないし円柱形態でなくてもよく、例えば、楕円形態、四角形形態などがあり、
【産業上の利用可能性】
【００４８】
本発明は、ベッドを利用する産業で利用される。
【符号の説明】
【００４９】
１：ベッド装置、
２：ベッド本体、
３：ローラ、
４：連結ローラ群、
５：使用済み敷物、
６：使用済敷物通し部、
７：新しい敷物、
８：新しい敷物通し部、
９：受けプレート、
１０：敷物受け部、
１０ａ、１０ｂ：受け部位、
１１：仕切り、
１３：敷物、
１４：敷物本体、
１５：棒部材取付け部、
２０ａ、２０ｂ：案内軌条、
２１：駆動手段、
２２：制御パネル、
２３：制御部、
２４ａ、２４ｂ：立ち上がり部位、
２５：フランジ、
２６、２６ａ、２６ｂ：棒部材、
２７：棒掛け部、
２７ａ、２７ａ−２〜２７ａ−４：頭側棒掛け部、
２７ｂ、２７ｂ−２：足側棒掛け部、
２８ａ、２８ｂ：棒部材取付け部、
２９：敷物緊張手段、
３０ａ、３０ｂ：プレート、
３２：軸シャフト、
３３：ベアリング、
３４：外側シャフト、
３５：隙間、
３６：クッション材、
３７：クッション層、
３８：ローラ本体３８、
３９：軸シャフト外側部位、
４０：固定体、
４１：チェーン、
４２：走行ベアリング、
４３：駆動シャフト、
４４：スプロケット、
４５：ベアリング、
４６：電源ボタン、
４７：敷物交換ボタン、
４８：敷物交換ボタン、
４９：マッサージボタン、
５０ａ〜５０ｅ：マッサージ種類ボタン、
５１：ディスプレイ、
５２：設定ボタン、
５３：緊急停止ボタン、
５５：軌条、
５６：走行輪、
５７：敷物受部、
５８：ベッド装置、
５９：仕切り、
６０：レバー、
６１：嵌め込み凸部、
６３：ベッド装置、
６４：敷物、
６７：立ち上がり部位、
６８：フレーム、
６９：敷物受部、
７０：ベッド装置、
７１：センサ、
７２：段階選択ボタン部、
７４：非回転滑りクッション、
７５：連結滑りクッション群。
【要約】      （修正有）【課題】使用済み敷物と新しい敷物の交換を使用済み敷物と新しい敷物とを接触させることなく交換可能とするベッド装着を提供する。【解決手段】使用済敷物通し部６の下方に設けられた、使用済み敷物５を直接的にあるいは他の部材（ここでは、容易に湾曲して籠形態とできる指を入れる取手（図示せず省略）を備えた受けプレート９で受けている。）を介して間接的に受けながら使用済敷物通し部６の移動に追随して移動する、連結ローラ群４に吊り形態で設けられた受け部位１０ａ、１０ｂを有する敷物受け部１０を設けている。【選択図】図１【図１】
0005422813.tif 000002
【図２】
0005422813.tif 000003
【図３】
0005422813.tif 000004
【図４】
0005422813.tif 000005
【図５】
0005422813.tif 000006
【図６】
0005422813.tif 000007
【図７】
0005422813.tif 000008
【図８】
0005422813.tif 000009
【図９】
0005422813.tif 000010
【図１０】
0005422813.tif 000011
【図１１】
0005422813.tif 000012
【図１２】
0005422813.tif 000013
【図１３】
0005422813.tif 000014